(57)【要約】      （修正有）【課題】タッチスクリーンを備えた携帯端末機で簡便で且つ迅速にイメージをズーミングする方法を提供する。【解決手段】複数のデバイスでのタッチスクリーン上のタッチズーミングを許可する方法である。イメージが表示されたタッチスクリーン上のタッチ入力に応答して２１０、２１５、２２０、ズーミング操作が可能なズーミングＧＵＩを表示する段階２２５と、予め設定された時間以上にタッチの感知状態が維持されない場合、タッチ状態を維持しながらタッチ位置を移動させる動作を感知したか否かを判断する段階２３０と、移動したタッチ位置に従って、イメージのズーミングを実行し、タッチスクリーン上に表示する段階２３５、２４０、２４５と、タッチスクリーンからのタッチ解除の入力に応答して２５０ＹＥＳ、表示されたズーミングＧＵＩを非表示にする段階２６５と、を有する。【選択図】図２
2015064896.tif 000002
【特許請求の範囲】
【請求項１】
イメージ処理方法において、
イメージが表示されたタッチスクリーン上のタッチの感知に応答して、前記イメージのズーミング（ｚｏｏｍｉｎｇ）操作を行うためのズーミングＧＵＩ（Ｇｒａｐｈｉｃ  Ｕｓｅｒ  Ｉｎｔｅｒｆａｃｅ）を表示する段階と、
予め設定された時間以上に前記タッチの感知状態が維持されない場合、タッチ状態を維持しながらタッチ位置を移動させる動作を感知したか否かを判断する段階と、
前記移動したタッチ位置に従って、前記イメージのズーミングを実行し、前記タッチスクリーン上に表示する段階と、
前記タッチスクリーン上のタッチ解除の感知に応答して、前記表示されたズーミングＧＵＩの表示を停止する段階と、
を有することを特徴とするイメージ処理方法。
【請求項２】
前記タッチスクリーンは、前記ズーミングＧＵＩの表示を停止した後に、前記イメージを続けて表示することを特徴とする請求項１に記載のイメージ処理方法。
【請求項３】
前記ズーミングＧＵＩの表示を停止する段階は、ユーザビュー（ｕｓｅｒ  ｖｉｅｗ）から前記ズーミングＧＵＩの表示を非表示にすることを特徴とする請求項１に記載のイメージ処理方法。
【請求項４】
前記ズーミングＧＵＩを表示する段階は、前記ズーミングＧＵＩを前記イメージに重ね合わせて表示することを特徴とする請求項１に記載のイメージ処理方法。
【請求項５】
前記ズーミングＧＵＩは、ズームイン（ｚｏｏｍ−ｉｎ）アイコン、ズームアウト（ｚｏｏｍ−ｏｕｔ）アイコン、及び基準アイコンで構成されることを特徴とする請求項１に記載のイメージ処理方法。
【請求項６】
前記イメージをズーミングして表示する段階は、前記タッチ位置の移動に従って前記ズームインアイコン又はズームアウトアイコンを移動させる段階を含むことを特徴とする請求項５に記載のイメージ処理方法。
【請求項７】
前記イメージをズーミングして表示する段階は、前記タッチ位置の移動方向が上方向である入力に応答して、前記イメージをズームイン（徐々に拡大）して表示し、前記移動方向が下方向である入力に応答して、前記イメージをズームアウト（徐々に縮小）して表示することを特徴とする請求項１に記載のイメージ処理方法。
【請求項８】
前記イメージをズーミングして表示する段階は、前記表示されたイメージを前記タッチが感知された位置を中心としてズーミングして表示することを特徴とする請求項１に記載のイメージ処理方法。
【請求項９】
前記イメージをズーミングして表示する段階は、前記タッチ位置の移動距離に対応して設定されたズーム倍率に従って前記イメージをズーミングして表示することを特徴とする請求項１に記載のイメージ処理方法。
【請求項１０】
前記ズーミングＧＵＩを表示する段階は、前記タッチスクリーン上にタッチが感知された状態が予め設定された時間以上経過すれば、前記ズーミングＧＵＩを表示することを特徴とする請求項１に記載のイメージ処理方法。
【請求項１１】
イメージ処理方法において、
イメージが表示されたタッチスクリーン上のタッチの感知に応答して、前記タッチの感知状態が維持される時間を測定する段階と、
予め設定された時間以上に前記タッチの感知状態が維持された時、前記イメージをズーミングして前記タッチスクリーンに表示する段階と、
前記タッチスクリーン上のタッチ解除の感知に応答して、前記イメージのズーミングを停止する段階と、を有し、
前記イメージをズーミングして表示する段階は、
前記予め設定された時間以上に前記タッチの感知状態が維持されない場合、タッチ状態を維持しながらタッチ位置を移動させる動作を感知したか否かを判断する段階と、
前記移動したタッチ位置に従って前記イメージをズーミングして表示する段階と、
を含むことを特徴とするイメージ処理方法。
【請求項１２】
前記イメージをズーミングして表示する段階は、前記測定された時間に対応する予め設定されたズーム倍率で前記イメージをズーミングして表示することを特徴とする請求項１１に記載のイメージ処理方法。
【請求項１３】
前記イメージのズーミング（ｚｏｏｍｉｎｇ）操作を行うためのズーミングＧＵＩを表示する段階をさらに有することを特徴とする請求項１１に記載のイメージ処理方法。
【請求項１４】
前記ズーミングＧＵＩを表示する段階は、前記表示されたズーミングＧＵＩを非表示にする段階をさらに含むことを特徴とする請求項１３に記載のイメージ処理方法。
【請求項１５】
前記ズーミングＧＵＩは、ズームイン（ｚｏｏｍ−ｉｎ）アイコン、ズームアウト（ｚｏｏｍ−ｏｕｔ）アイコン、及び基準アイコンで構成されることを特徴とする請求項１３に記載のイメージ処理方法。
【請求項１６】
前記イメージをズーミングして表示する段階は、前記タッチ位置の移動に従って前記タッチスクリーン上の前記ズームインアイコン又はズームアウトアイコンの移動を感知する段階をさらに含むことを特徴とする請求項１５に記載のイメージ処理方法。
【請求項１７】
前記イメージをズーミングして表示する段階は、前記タッチ位置の移動距離に対応して設定されたズーム倍率に従って前記イメージをズーミングして表示することを特徴とする請求項１３に記載のイメージ処理方法。
【請求項１８】
イメージ処理方法において、
イメージが表示されたタッチスクリーン上にタッチが入力されれば、前記タッチの入力状態が維持される時間が第１臨界時間以上であるか否かを判断する段階と、
前記第１臨界時間以上に前記タッチの入力状態が維持された時、ズーミングＧＵＩ（Ｇｒａｐｈｉｃ  Ｕｓｅｒ  Ｉｎｔｅｒｆａｃｅ）を表示する段階と、
前記タッチの入力状態が維持される時間が第２臨界時間以上であるか否かを判断する段階と、
前記第２臨界時間以上に前記タッチの入力状態が維持された時、前記タッチスクリーン上の前記イメージをズーミングして表示する段階と、
前記タッチの入力状態が解除された時、前記イメージのズーミングを停止する段階と、を有し、
前記イメージをズーミングして表示する段階は、
前記第２臨界時間以上に前記タッチの入力状態が維持されない場合、タッチ状態を維持しながらタッチ位置を移動させる動作が入力されたか否かを判断する段階と、
前記移動したタッチ位置に従って、前記イメージをズーミングして表示する段階と、
を含むことを特徴とするイメージ処理方法。
【請求項１９】
前記第２臨界時間以上に前記タッチの入力状態が維持された時、前記表示されたズーミングＧＵＩを非表示にする段階をさらに含むことを特徴とする請求項１８に記載のイメージ処理方法。
【発明の詳細な説明】
【技術分野】
【０００１】
本発明は、携帯端末機のイメージ処理方法に関し、特に携帯端末機においてイメージをズーミング（ｚｏｏｍｉｎｇ）して表示するイメージ処理方法に関する。
【背景技術】
【０００２】
携帯端末機の普及率の急速な増加に伴い、携帯端末機は、現代人の生活必需品として位置づけられるようになった。このような携帯端末機は、基本的な音声通話サービスだけでなく、各種データ伝送サービスのような多様な付加サービスをも提供することができるようになり、機能上、マルチメディア通信機器に変化するようになった。
【０００３】
近年、携帯端末機がイメージ（画像）を表示する機能を有し、これにより、イメージを拡大又は縮小するズーミング機能が携帯端末機に追加され、ユーザは、カメラモジュールを利用して撮影したイメージ、又は携帯端末機に格納されたイメージを拡大又は縮小して見ることができるようになった。従来の携帯端末機では、イメージを拡大又は縮小する機能のキーと拡大したイメージを上下左右に移動する機能のキーを備えた形態で構成され、ユーザは、前記機能キーを利用して所望の部分のイメージを拡大して見ることができる。
【０００４】
しかしながら、ユーザが機能キーを繰り返し入力しなければならないという点と、イメージズーミング過程で多くの時間がかかるという点が問題点として指摘された。
特に、タッチスクリーンベースの携帯端末機が一般化してきていることより、タッチＵＩ（Ｕｓｅｒ  Ｉｎｔｅｒｆａｃｅ）を利用した、より簡便で且つ迅速にイメージをズーミングするイメージズーミング方法が必要とされている。
【発明の概要】
【発明が解決しようとする課題】
【０００５】
本発明の目的は、タッチスクリーンを備えた携帯端末機で簡便で且つ迅速にイメージをズーミングする方法を提供することにある。
【課題を解決するための手段】
【０００６】
本発明の一態様によれば、イメージ処理方法は、イメージが表示されたタッチスクリーン上のタッチの感知に応答して、前記イメージのズーミング操作を行うためのズーミングＧＵＩを表示する段階と、予め設定された時間以上に前記タッチの感知状態が維持されない場合、タッチ状態を維持しながらタッチ位置を移動させる動作を感知したか否かを判断する段階と、前記移動したタッチ位置に従って、前記イメージのズーミングを実行し、前記タッチスクリーン上に表示する段階と、前記タッチスクリーン上のタッチ解除の感知に応答して、前記表示されたズーミングＧＵＩの表示を停止する段階とを有することを特徴とする。
【０００７】
また、本発明の他の一態様によれば、イメージ処理方法は、イメージが表示されたタッチスクリーン上のタッチの感知に応答して、前記タッチの感知状態が維持される時間を測定する段階と、予め設定された時間以上に前記タッチの感知状態が維持された時、前記イメージをズーミングして前記タッチスクリーンに表示する段階と、前記タッチスクリーン上のタッチ解除の感知に応答して、前記イメージのズーミングを停止する段階とを有し、前記イメージをズーミングして表示する段階は、前記予め設定された時間以上に前記タッチの感知状態が維持されない場合、タッチ状態を維持しながらタッチ位置を移動させる動作を感知したか否かを判断する段階と、前記移動したタッチ位置に従って前記イメージをズーミングして表示する段階と、を含むことを特徴とする。
【０００８】
また、本発明のさらに他の一態様によれば、イメージ処理方法は、イメージが表示されたタッチスクリーン上にタッチが入力されれば、前記タッチの入力状態が維持される時間が第１臨界時間以上であるか否かを判断する段階と、前記第１臨界時間以上に前記タッチの入力状態が維持された時、ズーミングＧＵＩを表示する段階と、前記タッチの入力状態が維持される時間が第２臨界時間以上であるか否かを判断する段階と、前記第２臨界時間以上に前記タッチの入力状態が維持された時、前記タッチスクリーン上の前記イメージをズーミングして表示する段階と、前記タッチの入力状態が解除された時、前記イメージのズーミングを停止する段階と、を有し、前記イメージをズーミングして表示する段階は、前記第２臨界時間以上に前記タッチの入力状態が維持されない場合、タッチ状態を維持しながらタッチ位置を移動させる動作が入力されたか否かを判断する段階と、前記移動したタッチ位置に従って、前記イメージをズーミングして表示する段階と、を含むことを特徴とする。
【発明の効果】
【０００９】
本発明によれば、ユーザは、簡単なタッチ動作だけでも、イメージをズーミングして見られる。また、画面上にズーミングＧＵＩが一緒に表示されることによって、ユーザは、正確で且つ簡便にズーミング命令を入力することができる。
【図面の簡単な説明】
【００１０】
【図１】本発明の一実施形態による携帯端末機の構成を示すブロック図である。
【図２】本発明の第１の実施形態によるズーミングと関連したイメージ処理工程を説明するためのフローチャートである。
【図３】本発明の第１の実施形態によるイメージ処理工程で表示される表示画面の例示図である。
【図４】本発明の実施形態においてズーミングＧＵＩと機能実行アイコンを一緒に表示した表示画面の例示図である。
【図５】本発明の第２の実施形態によるズーミングと関連したイメージ処理工程を説明するためのフローチャートである。
【図６】本発明の第２の実施形態によるイメージ処理工程で表示される表示画面の例示図である。
【図７】本発明の第３の実施形態によるズーミングと関連したイメージ処理工程を説明するためのフローチャートである。
【図８】本発明の第３の実施形態によるイメージ処理工程で表示される表示画面の例示図である。
【発明を実施するための形態】
【００１１】
以下、添付の図面を参照して本発明の好ましい実施形態を詳しく説明する。
この際、添付の図面において同一の構成要素は、できるだけ同一の符号で示す。また、本発明の要旨を不明にすることができる公知機能及び構成に対する詳細な説明は省略する。
【００１２】
本発明において、‘ズーミング’は、画面上に表示されたイメージ（画像）の一部分又は全体部分を拡大または縮小する動作を意味する。
本発明の実施形態による‘ズーミング’は、‘ズームイン（ｚｏｏｍ−ｉｎ）’及び‘ズームアウト（ｚｏｏｍ−ｏｕｔ）’を含む。‘ズームイン’は、画面上に表示されたイメージの一部分を一定倍率によって拡大する動作を意味し、‘ズームアウト’は、拡大したイメージを一定倍率によって縮小する動作を意味する。
【００１３】
本発明において‘基本イメージ’は、１倍率のイメージに該当する。すなわち、ズーミングが行われる前の原本イメージに該当する。
本発明の実施形態によって基本イメージでは、ズームインだけが行われ、ズームアウトは、行われないように設定することもできる。
【００１４】
本発明において‘ズーミングＧＵＩ（Ｇｒａｐｈｉｃ  Ｕｓｅｒ  Ｉｎｔｅｒｆａｃｅ）’は、画面上に表示されるズーミング操作を可能にするＧＵＩを意味する。本発明の実施形態によるズーミングＧＵＩは、ズームイン（ｚｏｏｍ−ｉｎ）アイコン、ズームアウト（ｚｏｏｍ−ｏｕｔ）アイコン、及び基準アイコンで構成される。本発明の実施形態によるアイコンは、互いに分離した形態で構成することができ、ユーザのタッチ入力によってアイコン間の間隔が変更されて表示することができる。
【００１５】
本発明のズームインアイコンは、ズームアウトアイコンより上部に位置し、基準アイコンは、ズームインアイコンとズームアウトアイコンとの間に位置することが好ましい。‘ズーミングＧＵＩ’は、タッチが入力された位置に対応して表示することができる。すなわち、タッチが入力された位置を基準にして表示することもでき、タッチが入力された位置に関係なく、特定の領域内に表示することもできる。
【００１６】
本発明の実施形態では、携帯端末機を例示して説明するが、これに限定されるものではなく、テレビ、コンピュータ、ノートパソコンなど大型ディスプレイ機器にも適用することができる。本発明の実施形態による携帯端末機は、タッチスクリーンを備えた端末機であって、好ましくは、移動通信端末機、携帯用マルチメディア再生装置（Ｐｏｒｔａｂｌｅ  Ｍｕｌｔｉｍｅｄｉａ  Ｐｌａｙｅｒ−ＰＭＰ）、個人情報端末機（Ｐｅｒｓｏｎａｌ  Ｄｉｇｉｔａｌ  Ａｓｓｉｓｔａｎｔ−ＰＤＡ）、スマートフォン（Ｓｍａｒｔ  Ｐｈｏｎｅ）、ＭＰ３プレーヤーなどのようなすべての情報通信機器及びマルチメディア機器とそれに対する応用機器にも適用することができる。
【００１７】
図１は、本発明の一実施形態による携帯端末機の構成を示すブロック図である。
無線通信部１１０は、携帯端末機の無線通信のための当該データの送受信機能を行う。無線通信部１１０は、送信する信号の周波数を上昇変換及び増幅するＲＦ送信機と、受信した信号を低雑音増幅し、周波数を下降変換するＲＦ受信機などで構成される。また、無線通信部１１０は、無線チャンネルを通じてデータを受信し、制御部１６０に出力し、制御部１６０から出力されたデータを無線チャンネルを通じて伝送することができる。
【００１８】
オーディオ処理部１２０は、コーデック（コーダー及びデコーダー）で構成され、コーデックは、パケットデータなどを処理するデータコーデックと、音声などのオーディオ信号を処理するオーディオコーデックとを備える。オーディオ処理部１２０は、デジタルオーディオ信号をオーディオコーデックを通じてアナログオーディオ信号に変換し、スピーカーＳＰＫを通じて再生し、マイクＭＩＣから入力されるアナログオーディオ信号をオーディオコーデックを通じてデジタルオーディオ信号に変換する。
【００１９】
格納部１３０は、携帯端末機の動作に必要なプログラム及びデータを格納する役目を行い、プログラム領域とデータ領域とに区分することができる。本発明の実施形態による格納部１３０は、携帯端末機の製造時に、基本的に格納されたイメージと、カメラモジュールを備えた携帯端末機の場合、カメラモジュールを通じて撮影された被写体イメージ、及び外部サーバー又は外部端末機から無線通信部１１０を通じて受信したイメージなどを格納する役目を行う。また格納部１３０は、イメージをズーミングするプログラム及びズーミングされたイメージを格納することができる。
【００２０】
タッチスクリーン部１４０は、タッチセンサー１４４及び表示部１４２を含む。
タッチセンサー１４４は、タッチオブジェクトがタッチスクリーンに接触したか否かを感知する役目を行う。タッチオブジェクトには、ユーザの指またはタッチペン（スタイラスペン）などが該当する。タッチセンサー１４４は、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）などのタッチ感知センサーで構成するか、圧力センサー（ｐｒｅｓｓｕｒｅ  ｓｅｎｓｏｒ）で構成することもでき、これに限定されず、物体の接触または圧力を感知することができるすべての種類のセンサーが、本発明のタッチセンサー１４４に該当することができる。タッチセンサー１４４は、表示部１４２に付着して形成することができ、その他、携帯端末機の一面または一側に形成することもできる。タッチセンサー１４４は、タッチスクリーンへのユーザタッチ入力を感知し、タッチ入力信号を発生させて、制御部１６０に伝送する役目を行う。タッチ入力信号は、タッチが入力された位置情報を含むことができる。
【００２１】
表示部１４２は、液晶表示装置（ＬＣＤ、Ｌｉｑｕｉｄ  Ｃｒｙｓｔａｌ  Ｄｉｓｐｌａｙ）で形成することができ、携帯端末機のメニュー、入力されたデータ、機能設定情報、及びその他多様な情報をユーザに視覚的に提供する。
例えば、表示部１４２は、携帯端末機起動画面、待機画面、表示画面、通話画面、その他アプリケーション実行画面を出力する機能を行う。本発明の実施形態による表示部１４２は、制御部１６０の制御によって格納部１３０に格納されたイメージを表示する役目を行う。
また、表示部１４２は、制御部１６０の制御によってイメージのズーミングを操作するズーミングＧＵＩ及びズーミングされたイメージを表示する。また、表示部１４２は、ズーミング程度を示すミニマップ（ｍｉｎｉｍａｐ）をズーミングされたイメージとともに表示することができる。本発明の実施形態による表示部１４２は、ズーム倍率又はズーミング速度に関する情報をズーミングされたイメージとともに表示することができる。表示部１４２は、タッチが入力された位置に対応してズーミングＧＵＩを表示することができる。
【００２２】
キー入力部１５０は、携帯端末機を操作するためのユーザによるキー入力に対応するキー信号を発生させ、キー信号を制御部１６０に伝達する。キー入力部１５０は、数字キー、方向キーを含むキーパッドで構成することができ、携帯端末機の一方の面に所定の機能キーで形成することができる。本発明の実施形態によってタッチセンサー１４４だけですべての操作が可能な携帯端末機の場合には、キー入力部１５０を省略することもできる。
【００２３】
制御部１６０は、携帯端末機の全般的な動作を制御する機能を行う。
本発明の実施形態による制御部１６０は、表示部１４２を制御し、格納部１３０に格納された複数のイメージのうちユーザによって選択されたいずれか１つ又は複数のイメージを表示させる。カメラモジュールを備えた携帯端末機の場合、制御部１６０は、表示部１４２を制御し、カメラのプレビュー（ｐｒｅｖｉｅｗ）イメージを表示させることができる。
【００２４】
制御部１６０は、タッチセンサー１４４を制御し、ユーザのタッチが入力されたか否かを判断する。本発明の実施形態による、制御部１６０は、タッチセンサー１４４からタッチ入力信号を受信し、タッチが入力された位置及びタッチ入力状態が維持される時間を判断する。制御部１６０は、タッチセンサー１４４からタッチ入力信号を受信し、表示部１４２を制御し、イメージのズーミングを操作するズーミングＧＵＩを表示する。本発明の実施形態による、制御部１６０は、ズーミングＧＵＩを表示すると同時に、少なくとも１つの機能実行アイコンを一緒に表示するように表示部１４２を制御することができる。
【００２５】
ユーザがタッチを入力した状態で、上方向にドラッグ（ｄｒａｇ）動作を入力すれば、タッチセンサー１４４は、タッチ入力信号を生成し、制御部１６０は、タッチセンサー１４４からタッチ入力信号を受信し、表示部１４２を制御し、イメージをズームインして表示する。また、ユーザがタッチを入力した状態で、下方向にドラッグ動作を入力すれば、タッチセンサー１４４は、タッチ入力信号を生成し、制御部１６０は、タッチセンサー１４４からタッチ入力信号を受信し、表示部１４２を制御し、イメージをズームアウトして表示する。
【００２６】
本発明の実施形態による、制御部１６０は、表示部１４２を制御し、タッチ動作が入力された位置を中心にイメージをズームインまたはズームアウトして表示することができる。しかし、これに限定されるのではなく、制御部１６０は、表示部１４２を制御し、タッチ動作が入力された位置に関係なく、イメージをズームインまたはズームアウトして表示することもできる。本発明の実施形態による、制御部１６０は、タッチ入力状態が維持される時間を測定し、表示部１４２を制御し、測定された時間に対応するズームイメージを表示することができる。また、制御部１６０は、表示部１４２を制御し、ズーミング程度を示すミニマップを示すズームイメージとともに表示することができる。
【００２７】
図２は、本発明の第１の実施形態によるズーミングと関連したイメージ処理方法を説明するためのフローチャートである。
ステップ（２０５）で、制御部１６０は、表示部１４２を制御し、イメージを表示する。本発明の実施形態による制御部１６０は、格納部１３０に格納された複数のイメージのうちユーザによって選択されたいずれか１つ又は複数のイメージを表示することができる。また、携帯端末機がカメラモジュールを備えた場合、制御部１６０は、カメラモジュールを制御し、被写体を撮影し、表示部１４２を制御し、被写体のプレビューイメージを表示することもできる。
【００２８】
ステップ（２０５）で表示部１４２に表示されるイメージは、基本イメージであるか、ズームイメージである。基本イメージは、１倍率の原本イメージに該当する。格納部１３０にズームイメージが基本イメージとは別個に格納されていて、制御部１６０がズームイメージを格納部１３０から抽出し、表示部１４２に表示する場合、ステップ（２０５）で表示されるイメージは、ズームイメージに該当する。
【００２９】
次にステップ（２１０）で、制御部１６０は、タッチセンサー１４４を制御し、タッチスクリーン上にタッチが発生したか否かを判断する。本発明における‘タッチ’は、ユーザの指又はスタイラスペンなどのタッチ器具がタッチスクリーン上に接触する動作を意味する。タッチセンサー１４４は、ユーザがタッチスクリーン上にタッチを入力すれば、タッチ入力信号を発生させて、制御部１６０に伝送する。タッチ入力信号には、タッチが発生したか否かの情報及びタッチが入力された位置情報が含むことができる。
【００３０】
図３は、本発明の第１の実施形態によるイメージ処理工程で表示される表示画面の例示図であり、図３の（ａ）は、基本イメージ１倍率のイメージが表示された状態でユーザのタッチが入力される表示画面を示す。
【００３１】
制御部１６０がタッチセンサー１４４からタッチ入力信号を受信すれば、ステップ（２１５）で、タッチが入力された位置を確認する。次に、制御部１６０は、ステップ（２２０）で、タッチ入力状態が維持される時間［ｔ］を測定し、あらかじめ設定された臨界時間［Ｔｓ］以上であるか否かを判断する。本発明の第１の実施形態において、臨界時間［Ｔｓ］は、ズーミングＧＵＩ（Ｇｒａｐｈｉｃ  Ｕｓｅｒ  Ｉｎｔｅｒｆａｃｅ）の生成命令を発生させるために要求される最小限のタッチ入力維持時間を意味する。
【００３２】
臨界時間［Ｔｓ］は、基本値（ｄｅｆａｕｌｔ）としてあらかじめ設定することができ、ユーザによって設定を変更してもよい。ユーザがタッチを入力した後、位置を変更せず、タッチ入力状態を継続的に維持すれば、タッチセンサー１４４は、同一の位置にタッチ入力状態が持続していることを制御部１６０に送信する。制御部１６０は、タッチセンサー１４４から受信する入力信号を通じてタッチ入力状態が維持される時間を測定し、測定された時間が臨界時間［Ｔｓ］以上であるか否かを判断する。
【００３３】
制御部１６０は、タッチ入力状態が維持される時間［ｔ］を測定し、臨界時間［Ｔｓ］より長いと判断した場合、ステップ（２２５）で、表示部１４２を制御し、タッチが入力された位置に対応する位置にズーミングＧＵＩ（ｚｏｏｍｉｎｇ  Ｇｒａｐｈｉｃ  Ｕｓｅｒ  Ｉｎｔｅｒｆａｃｅ）を表示する。本発明の実施形態による‘ズーミングＧＵＩ’は、ズーミング操作を可能にするＧＵＩであって、ズームイン（ｚｏｏｍ−ｉｎ）アイコン、ズームアウト（ｚｏｏｍ−ｏｕｔ）アイコン、及び基準アイコンで構成することができる。
【００３４】
アイコンは、互いに分離した形態で構成することができ、ユーザの入力によってアイコン間の間隔を変更して表示することもできる。本発明の実施形態において、ズームインアイコンは、ズームアウトアイコンより上部に位置し、基準アイコンは、ズームインアイコンとズームアウトアイコンとの間に位置することが好ましい。また、本発明の実施形態による制御部１６０は、表示部１４２を制御し、タッチが入力された位置と関係なく、特定の領域にズーミングＧＵＩを表示することもできる。すなわち、ズーミングＧＵＩは、特定の領域内で位置が固定または変更して表示することができる。
【００３５】
図３の（ｂ）は、ズーミングＧＵＩを表示した画面を示す。
図３の（ｂ）には、ズーミングＧＵＩがズームインアイコン１１、ズームアウトアイコン１２、及び基準アイコン１３で構成されて表示している。ズームインアイコン１１は、ズームアウトアイコン１２より上部に位置し、基準アイコン１３は、ズームインアイコン１１とズームアウトアイコン１２との間に位置して表示している。また、ズームインアイコン１１、ズームアウトアイコン１２、及び基準アイコン１３の一部分は、タッチが入力された位置内に含まれて表示され、残りの部分は、タッチが入力された位置の外に表示している。すなわち、ズーミングＧＵＩは、タッチが入力された位置に重畳又は隣接して表示することができる。
【００３６】
本発明の実施形態によって、制御部１６０は、ズーミングＧＵＩと少なくとも１つの機能実行アイコンを一緒に表示することができる。
機能実行アイコンは、ポップアップ（ｐｏｐ−ｕｐ）形態、又はメニューリスト形態をとることもできる。
【００３７】
図４は、本発明の実施形態によるズーミングＧＵＩと機能実行アイコンを一緒に表示した表示画面の例示図である。
機能実行アイコンとして「ｓａｖｅ  ｉｍａｇｅ」、「ｆｉｌｔｅｒ  ｉｍａｇｅ」、「ｓｅｎｄ」及び「ｐｒｉｎｔ  ｖｉａ」が表示され、ユーザがタッチを解除した後、機能実行アイコンをタッチすれば、制御部１６０は、タッチセンサー１４４からタッチ入力信号を受信し、当該アイコンに対応する機能を行う。制御部１６０は、タッチされたアイコンに対応する機能を行うと同時に、表示部１４２を制御し、ズーミングＧＵＩと機能実行アイコンを非表示にする。
【００３８】
本発明の実施形態によって、制御部１６０は、タッチ入力状態が維持される時間を測定し、臨界時間以上に維持されるか否かを判断する工程を省略し、ステップ（２１０）で、タッチセンサー１４４からタッチ入力信号を受信すれば、タッチが入力された位置を確認し、すぐに表示部１４２を制御し、タッチが入力された位置にズーミングＧＵＩを表示することができる。
【００３９】
ステップ（２３０）で、制御部１６０は、タッチセンサー１４４を制御し、タッチ位置の移動動作が入力されたか否かを判断する。
本発明においてタッチ位置の移動動作は、ユーザがタッチスクリーンにタッチ状態を維持しながらタッチ位置を変更する動作に該当し、代表的にドラッグ動作がこれに含まれる。タッチセンサー１４４は、タッチ位置が移動したか否か、及び移動した位置情報を含むタッチ入力信号を発生させて制御部１６０に送信し、制御部１６０は、タッチセンサー１４４からのタッチ入力信号を受信し、タッチ位置が移動したか否か、及び移動した位置情報を確認することができる。本発明の実施形態による制御部１６０は、ステップ（２１０）で入力されたタッチ位置とステップ（２３０）で移動したタッチ位置を比較し、タッチ位置の移動方向及び移動距離を判断することもできる。
【００４０】
制御部１６０がタッチセンサー１４４を通じて移動動作が入力されたと判断すれば、ステップ（２３５）で、表示部１４２を制御し、ズーミングＧＵＩを変更して表示する。
本発明の実施形態による制御部１６０は、表示部１４２を制御し、ズーミングＧＵＩを構成するズームインアイコン及びズームアウトアイコンの位置を変更して表示することができる。
ユーザが上方向のドラッグ動作を入力した場合、制御部１６０は、表示部１４２を制御し、ドラッグ動作が止まった位置に対応してズームインアイコンを表示することができる。また、ユーザが下方向のドラッグ動作を入力した場合、制御部１６０は、表示部１４２を制御し、ドラッグ動作が止まった位置に対応してズームアウトアイコンを表示することができる。
【００４１】
ズーミングＧＵＩがタッチされた位置とは別に特定領域に表示する場合にも、ズームインアイコン及びズームアウトアイコンは、タッチ位置の移動に対応して位置を変更して表示することができる。ステップ（２０５）で表示されたイメージが基本イメージである時、ユーザが下方向のドラッグ動作を入力した場合、制御部１６０は、ズームアウトアイコンの位置を移動させることなく、初期状態のズーミングＧＵＩの形態を維持させて表示するように表示部１４２を制御する。また、ユーザが上方向のドラッグ動作を入力した後、タッチ状態を解除せず、さらに下方向のドラッグ動作を入力した時、ドラッグ動作が止まった位置が基準アイコンを中心にして上部に該当する場合、制御部１６０は、ズームインアイコンをドラッグ動作が止まった位置に対応して表示し、ドラッグ動作が止まった位置が基準アイコンを中心にして下部に該当する場合、制御部１６０は、ズームアウトアイコンをドラッグ動作が止まった位置に対応して表示する。
【００４２】
次に、制御部１６０は、ステップ（２４０）で、確認した移動方向及び移動距離に対応するズーム倍率を判断する。
本発明の第１の実施形態による格納部１３０は、タッチ位置の移動距離に対応するズーム倍率を格納し、制御部１６０は、確認した移動距離に対応するズーム倍率を格納部１３０から抽出する。制御部１６０は、移動方向を確認し、ズームインを行うべきか、またはズームアウトを行うべきかを判断し、移動距離を確認し、ズーミングを行うズーム倍率を判断する。
【００４３】
制御部１６０は、ステップ（２４５）で、表示部１４２を制御し、判断したズーム倍率によってイメージをズーミングして表示する。本発明の実施形態による制御部１６０は、表示部１４２を制御し、ズーミング程度を示すミニマップ（ｍｉｎｉｍａｐ）をズームイメージとともに表示することができる。
本発明の実施形態によるミニマップは、ズーミングされた部分を表示する、全体イメージの縮小イメージを示す。また、ユーザが上方向のドラッグ動作を入力した後、タッチ状態を解除せず、さらに下方向のドラッグ動作を入力した時、制御部１６０は、下方向のドラッグ動作が入力されると同時に、表示部１４２を制御し、イメージをズームアウトして表示することができ、タッチ位置が基準アイコンより下に進入する時、イメージをズームアウトして表示することもできる。
【００４４】
図３の（ｃ）は、図３の（ｂ）でユーザが上方向にドラッグ動作を入力した時、表示される表示画面を示す。
図３の（ｃ）には、ドラッグ動作が止まった地点にズームインアイコン１１を移動して表示している。イメージは、１．４倍率でズームインされて表示され、左側下端にズーミング程度を示すミニマップ１５を一緒に表示している。
【００４５】
本発明の他の実施形態では、タッチ位置の移動距離によってズーミング速度を設定することができ、制御部１６０は、タッチ位置の移動方向を確認し、ズームインを行うべきか、またはズームアウトを行うべきかを判断し、タッチ位置の移動距離を確認し、ズーミング速度を判断し、判断した速度で連続的なズーミング工程を行う。
【００４６】
ステップ（２５０）で、制御部１６０は、タッチセンサー１４４を制御し、タッチ入力が解除されたか否かを判断する。
ユーザがタッチスクリーン上で指又はタッチ器具を離す動作を入力すれば、タッチセンサー１４４は、タッチ入力解除を感知し、タッチ解除信号を制御部１６０に送信する。制御部１６０は、タッチセンサー１４４からタッチ解除信号を受信し、タッチ入力が解除されたことを認識する。
制御部１６０がタッチ入力解除を認識すれば、ステップ（２５５）で、表示部１４２を制御し、ズーミングＧＵＩを除去する。
図３の（ｄ）は、ユーザがタッチ入力を解除した時に表示される表示画面を示す。図３の（ｄ）には、ズーミングＧＵＩが非表示された状態で１．４倍率でズームインされたイメージを表示している。ミニマップ１５は、ユーザのタッチ入力が解除された時、非表示にすることができ、表示状態を維持することもできる。
【００４７】
制御部１６０は、ステップ（２６０）で、タッチセンサー１４４を制御し、ダブルタップ（ｄｏｕｂｌｅ  ｔａｐ）が入力されたか否かを判断する。
本発明において‘タップ’は、タッチ入力以後、一定時間以内にタッチ入力解除が行われる動作を意味する。本発明の実施形態では、タッチ入力後、臨界時間［Ｔｓ］が経過すれば、制御部１６０は、表示部１４２を制御し、ズーミングＧＵＩを表示するが、本発明において‘タップ’は、タッチ入力後、臨界時間［Ｔｓ］が経過する前に、タッチ入力解除が行われる動作に該当する。また‘タップ’は、タッチ入力後、臨界時間［Ｔｓ］より小さい値に設定された時間が経過する前に、タッチ入力解除が行われる動作に該当することもできる。本発明において、‘ダブルタップ’は、タップが連続して２回行われる動作を意味する。タップとタップ間の時間間隔があらかじめ設定されていて、制御部１６０は、タッチセンサー１４４を制御し、タップ動作が行われた後、所定時間間隔内にさらにタップ動作が行われるものと感知すれば、この動作をダブルタップとして認識する。
【００４８】
タッチスクリーン上にダブルタップが入力されれば、制御部１６０は、ステップ（２６５）で、表示部１４２を制御し、基本イメージを表示する。
図３の（ｈ）は、ユーザがダブルタップを入力した時に表示される表示画面を示す。図３の（ｈ）には、１倍率の基本イメージを表示していて、これは、初期画面である図３の（ａ）と同一の画面に相当する。
【００４９】
制御部１６０は、ステップ（２６０）で、ダブルタップが入力されていないものと判断する場合、ステップ（２１０）にもどり、タッチが入力されたか否かを判断し、上記工程を繰り返す。
図３の（ｅ）は、ユーザがタッチを入力し、臨界時間［Ｔｓ］が経過した時に表示される表示画面を示す。図３の（ｅ）には、図３の（ｂ）と同様に、タッチした位置にズームインアイコン１１、ズームアウトアイコン１２、及び基準アイコン１３を含むズーミングＧＵＩを表示している。
【００５０】
図３の（ｆ）は、ユーザがタッチ入力を維持した状態から下方向に移動した時に表示される表示画面を示す。図３の（ｆ）は、図３の（ｅ）と比べて、ズームインアイコン１１及び基準アイコン１３の位置は変更されず、ズームアウトアイコン１２は、ユーザのドラッグ動作が止まった位置に近接して表示している。図３の（ｆ）では、ドラッグ動作が図３の（ｃ）より短く行われ、ズームアウトアイコン１２と基準アイコン１３との距離は、図３の（ｃ）のズームインアイコン１１と基準アイコン１３との距離より短く表示される。イメージは、１．４倍率のイメージが１．２倍率のイメージにズームアウトされて表示される。
【００５１】
図３の（ｇ）は、ユーザがタッチ入力を解除した時に表示される表示画面を示す。図３の（ｇ）には、ズーミングＧＵＩが非表示された状態で１．２倍率のイメージが表示されている。制御部１６０は、ステップ（２６０）で、タッチセンサー１４４を制御し、ダブルタップが入力されたか否かを判断し、ダブルタップが入力された場合、制御部１６０は、表示部１４２を制御し、図３の（ｈ）のように、基本イメージに戻って表示する。
【００５２】
図５は、本発明の第２の実施形態によるズーミングと関連したイメージ処理工程を説明するためのフローチャートである。
図５のステップ（５０５）〜（５１５）は、図２のステップ（２０５）〜（２１５）と同一の工程に該当する。すなわち、制御部１６０は、表示部１４２を制御し、イメージを表示し、ユーザによってタッチが入力されれば、タッチセンサー１４４からタッチ入力信号を受信し、タッチが入力された位置を判断する。
図６は、本発明の第２の実施形態によるイメージ処理工程で表示される表示画面の例示図であり、図６の（ａ）は、基本イメージ１倍率のイメージが表示された状態でイメージ上にユーザのタッチが入力される表示画面を示す。
【００５３】
ステップ（５２０）で、制御部１６０は、タッチ入力状態が維持される時間［ｔ］を測定し、臨界時間［Ｔｓ］以上であるか否かを判断する。
本発明の第２の実施形態において‘臨界時間［Ｔｓ］’は、タッチ入力時間によるズーミング動作を開始するのに要求される最小限のタッチ入力時間を意味する。
制御部１６０は、タッチ入力状態が維持される時間［ｔ］を測定し、臨界時間［Ｔｓ］より長いか否かを判断し、臨界時間［Ｔｓ］より長ければ、ステップ（５２５）で、維持される時間［ｔ］に対応するズーム倍率を判断する。
【００５４】
本発明の第２の実施形態による格納部１３０は、タッチ入力状態が維持される時間に対応したズーミング倍率を格納することができ、制御部１６０は、測定した維持される時間［ｔ］に対応するズーム倍率を格納部１３０から抽出することができる。
本発明の実施形態による格納部１３０は、タッチ入力状態が維持される時間に対応させたズーミング速度を格納することもでき、この際、制御部１６０は、測定した維持される時間［ｔ］に対応するズーミング速度を格納部１３０から抽出する。
本発明の実施形態によるタッチセンサー１４４が圧力センサーで構成される場合、格納部１３０はタッチ圧力に対応するズーミング速度を格納することもでき、制御部１６０は、タッチ圧力を測定し、これに対応するズーミング速度を格納部１３０から抽出することもできる。
【００５５】
制御部１６０は、ステップ（５３０）で、表示部１４２を制御し、判断したズーム倍率によってイメージをズーミングして表示する。
格納部１３０にタッチ入力状態が維持される時間とズーミング速度がマッチングされて格納している場合には、制御部１６０は、表示部１４２を制御し、判断したズーミング速度によってイメージをズーミングして表示することもできる。
図６の（ｂ）は、タッチが入力された後、時間［ｔ１］が経過した時に表示される表示画面を示す。
時間［ｔ１］は、臨界時間［Ｔｓ］以上の値であり、格納部１３０に時間［ｔ１］に対応するズーム倍率が１．２倍率として格納されているものと仮定する。
【００５６】
制御部１６０は、表示部１４２を制御し、１倍率のイメージを１．２倍率のイメージにズーミングして表示し、実施形態によってはミニマップをズーミングイメージとともに表示することができる。
図６の（ｃ）は、ユーザがタッチ入力後、時間［ｔ２］が経過した時に表示される表示画面を示す。
時間［ｔ２］は、時間［ｔ１］より大きい値であり、格納部１３０に時間［ｔ２］に対応するズーム倍率が１．４倍率として格納されているものと仮定する。
制御部１６０は、表示部１４２を制御し、１．２倍率のイメージを１．４倍率のイメージをズーミングして表示する。
【００５７】
制御部１６０は、タッチが解除される前まで順次にイメージをズーミングして表示する。
例えば、制御部１６０が１．１倍率から３倍率まで０．１倍率単位でズーミングを行うことができ、それぞれのズーム倍率に対してタッチ維持時間［ｔａ１］〜［ｔａ３］が対応して設定される場合、制御部１６０は、時間［ｔａ１］が経過すれば、表示部１４２を制御し、イメージを１．１倍率でズーミングし、時間［ｔａ２］が経過すれば、イメージを１．２倍率でズーミングし、時間［ｔａ３］が経過するまで順次にイメージをズーミングして表示する。
図６を参照して説明すると、時間［ｔ１］は、時間［ｔａ２］（１．２倍率）と時間［ｔａ３］との間の値に該当し、時間［ｔ２］は、時間［ｔａ４］（１．４倍率）と時間［ｔａ５］との間の値に該当する。
【００５８】
ステップ（５３５）で、制御部１６０は、タッチセンサー１４４を制御し、タッチ入力が解除されたか否かを判断する。
制御部１６０は、タッチセンサー１４４からタッチ解除信号を受信し、タッチ入力が解除されたことを認識し、ステップ（５４０）で、ズーミングを停止する。
制御部１６０は、タッチ維持時間を測定する工程と、測定されたタッチ維持時間に対応するズーム倍率を格納部１３０から抽出する工程と、表示部１４２を制御し、イメージをズーミングして表示する工程を終了し、タッチが解除される直前のズームイメージを維持して表示する。
【００５９】
制御部１６０は、ステップ（５４５）で、タッチセンサー１４４を制御し、ダブルタップが入力されたか否かを判断する。
タッチスクリーン上にダブルタップが入力されれば、制御部１６０は、ステップ（５５０）で、表示部１４２を制御し、基本イメージを表示する。
【００６０】
図７は、本発明の第３の実施形態によるズーミングと関連したイメージ処理工程を説明するためのフローチャートである。
図７のステップ（７０５）〜（７１５）は、図２のステップ（２０５）〜（２１５）段階と同一の工程に該当する。
【００６１】
すなわち、制御部１６０は、表示部１４２を制御し、イメージを表示し、ユーザによってタッチが入力されれば、タッチセンサー１４４からタッチ入力信号を受信し、タッチが入力された位置を判断する。
図８は、本発明の第３の実施形態によるイメージ処理工程で表示される表示画面の例示図であり、図８の（ａ）は、基本イメージ（１倍率のイメージ）が表示された状態でイメージ上にユーザのタッチが入力される表示画面を示す。
【００６２】
ステップ（７２０）で、制御部１６０は、タッチ入力状態が維持される時間［ｔ］を測定し、第１臨界時間［Ｔｓ１］以上であるか否かを判断する。
本発明の第３の実施形態において、第１臨界時間［Ｔｓ１］は、ズーミングＧＵＩの生成命令を発生させるのに要求される最小限のタッチ維持時間を意味する。
制御部１６０がタッチ入力状態が維持される時間［ｔ］を測定し、第１臨界時間［Ｔｓ１］よりも長いと判断した場合、ステップ（７２５）で、表示部１４２を制御し、タッチが入力された位置に対応してズーミングＧＵＩを表示する。
図７の（ｂ）は、ズーミングＧＵＩを表示した画面を示す。図８の（ｂ）には、ズーミングＧＵＩがズームインアイコン１１、ズームアウトアイコン１２、及び基準アイコン１３で構成して表示している。
【００６３】
制御部１６０は、継続的にタッチ入力状態が維持される時間［ｔ］を測定し、ステップ（７３０）で、維持される時間［ｔ］が第２臨界時間［Ｔｓ２］よりも長いか否かを判断する。
本発明の第３の実施形態において、第２臨界時間［Ｔｓ２］は、タッチ入力時間によるズーミング動作を開始するのに要求される最小限のタッチ入力時間を意味する。
制御部１６０は、タッチ入力状態が維持される時間［ｔ］を測定し、第２臨界時間［Ｔｓ２］よりも長いと判断すれば、ステップ（７３５）で、表示部１４２を制御し、ズーミングＧＵＩを非表示にする。
【００６４】
制御部１６０は、ステップ（７４０）で、維持される時間［ｔ］に対応するズーム倍率を判断し、ステップ（７４５）で、表示部１４２を制御し、判断されたズーム倍率に従ってイメージをズーミングして表示する。
図８の（ｂ）は、ユーザがタッチ入力後、時間［ｔ２］が経過した時に表示される表示画面を示す。
時間［ｔ２］は、第２臨界時間［Ｔｓ２］以上の値であり、格納部１３０に第２臨界時間［ｔ２］に対応するズーム倍率が１．２倍率として格納されているものと仮定する。
制御部１６０は、表示部１４２を制御し、ズーミングＧＵＩを非表示にし、１倍率のイメージを１．２倍率のイメージにズーミングして表示する。
【００６５】
図８の（ｄ）は、ユーザがタッチ入力後、時間［ｔ３］が経過した時に表示される表示画面を示す。
時間［ｔ３］は、時間［ｔ２］より大きい値であり、格納部１３０に時間［ｔ３］に対応するズーム倍率が１．４倍率として格納されているものと仮定する。
制御部１６０は、表示部１４２を制御し、１．２倍率のイメージを１．４倍率のイメージをズーミングして表示する。
【００６６】
制御部１６０は、ステップ（７５０）で、タッチセンサー１４４を制御し、タッチ入力が解除されたか否かを判断する。制御部１６０は、タッチ入力が解除される前まで表示部１４２を制御し、イメージをズーミングして表示する。単位ズーム倍率に対応してタッチ入力維持時間が設定されていて、制御部１６０が単位ズーム倍率ごとに順次にズーミングを行うように設定された場合、制御部１６０は、タッチ入力維持時間に従って連続的にズーム倍率を変更してズーミングを行う。
【００６７】
制御部１６０は、タッチセンサー１４４からタッチ解除信号を受信し、タッチ入力が解除されたことを認識すれば、ステップ（７５５）でズーミングを停止する。
制御部１６０は、ステップ（７６０）で、タッチセンサー１４４を制御し、ダブルタップが入力されたか否かを判断し、タッチスクリーン上にダブルタップが入力されれば、制御部１６０は、ステップ（７６５）で、表示部１４２を制御し、基本イメージを表示する。
図８の（ｇ）は、ユーザがダブルタップを入力した時に表示される表示画面を示す。
図８の（ｇ）には、１倍率の基本イメージを表示していて、これは、初期画面である図８の（ａ）と同一の画面に相当する。
【００６８】
ステップ（７３０）で、制御部１６０が維持される時間［ｔ］が第２臨界時間［Ｔｓ２］より長くはないと判断すれば、ステップ（７３０５）に進行し、タッチセンサー１４４を制御し、タッチ位置の移動動作が入力されたか否かを判断する。
その後、制御部１６０は、ステップ（７３１０）〜（７３３０）を実行する。ステップ（７３１０）〜（７３３０）は、図２のステップ（２３５）〜（２５５）と同一の工程に相当する。
【００６９】
制御部１６０がタッチ位置の移動動作が入力されたものと判断すれば、ステップ（７３１０）で、表示部１４２を制御し、ズーミングＧＵＩの形態を変更して表示する。
本発明の第３の実施形態では、第１の実施形態と同様に、制御部１６０が表示部１４２を制御し、ズームインアイコン１１、ズームアウトアイコン１２の位置を変更して表示する。
制御部１６０は、ステップ（７３１５）で、移動方向及び移動距離に対応するズーム倍率を判断し、ステップ（７３２０）で、表示部１４２を制御し、判断したズーム倍率によるズームイメージを表示する。
ステップ（７３２５）で、制御部１６０は、タッチセンサー１４４を制御し、タッチ入力が解除されたか否かを判断し、タッチ入力が解除されれば、表示部１４２を制御し、ズーミングＧＵＩを非表示にする。
【００７０】
制御部１６０は、ステップ（７６０）に進行し、タッチセンサー１４４を制御し、ダブルタップが入力されたか否かを判断する。
制御部１６０は、ステップ（７６０）で、ダブルタップが入力されていないものと判断した場合、ステップ（７１０）にもどり、タッチが入力されたか否かを判断し、ダブルタップが入力されたものと判断した場合、ステップ（７６５）に進行し、表示部１４２を制御し、基本イメージを表示する。
【００７１】
図８の（ｅ）は、図８の（ｂ）でユーザが上方向にドラッグ動作を入力した時に表示される表示画面を示す。
図８の（ｅ）には、ドラッグ動作が止まった地点に対応してズームインアイコン１１を表示する。イメージは、１．４倍率でズームインして表示し、左側の下端にズーミング程度を示すミニマップ１５を一緒に表示する。
図８の（ｆ）は、ユーザがタッチ入力を解除した時に表示される表示画面を示す。
図８の（ｆ）には、ズーミングＧＵＩが削除された状態で１．４倍率でズームインしたイメージを表示している。図８の（ｆ）で、タッチスクリーン上にダブルタップが入力されれば、図８の（ｇ）のように１倍率の基本イメージが表示される。
【００７２】
本発明に従う上述の方法は、ハードウェアや、ソフトウェアとして、又、ＣＤ−ＲＯＭ、ＲＡＭ、縮小サイズドライブ、フロッピィディスク（登録商標）、フラッシュストレージ、ハードディスク、光磁気ディスクなどのような記録媒体に記録された、又は、ネットワークからのダウンロードされるコンピュータ  コードにより実現することができ、ここに上述した方法は多目的コンピュータ、特殊プロセッサ、ＡＳＩＣやＧＰＧＡのような専用又はプログラム可能なハードウェアなどで実行される。
当業者は、コンピュータ、プロセッサ、又はプログラム可能なハードウェアは、ＲＡＭ、ＲＯＭ、フラッシュなどのメモリ部品に記録、又は受信されるソフトウェアやコンピュータ  コードにアクセスし実行されることによりコンピュータ、プロセッサ、又はハードウェアが上述した処理方法を実行することを理解するであろう。
さらに、ここに示す処理を実行するために多目的コンピュータがコードにアクセスする時、このコードの実行は、多目的コンピュータが上述した処理方法を実行する特殊目的コンピュータへと変わることを認識される。
【００７３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７４】
１１０    無線通信部
１２０    オーディオ処理部
１３０    格納部
１４０    タッチスクリーン部
１４２    表示部
１４４    タッチセンサー
１５０    キー入力部
１６０    制御部
【図１】
2015064896.tif 000003
【図２】
2015064896.tif 000004
【図３】
2015064896.tif 000005
【図４】
2015064896.tif 000006
【図５】
2015064896.tif 000007
【図６】
2015064896.tif 000008
【図７】
2015064896.tif 000009
【図８】
2015064896.tif 000010